(57)【要約】      （修正有）【課題】トッププレートを構成する板体に上方向からの大きな力が印加された場合にも、板体が枠体から剥離することを抑制、防止することが可能で、調理容器から溢れ出た煮汁のガスコンロ本体内への侵入を抑制、防止することが可能なビルトイン型ガスコンロを提供する。【解決手段】貫通孔からコンロバーナを上面側に突出させた態様で、トッププレート１０がガスコンロ本体２の上面を覆うように装着されたトッププレート定常装着状態において、キッチンカウンター５０の開口部５１の周縁上面５０ａと、トッププレートを構成する板体１１の周縁下面１１ａとの間に位置するように配設され、コンロ本体２をキッチンカウンター５０の上面に沿って外側に延伸させる延伸体２０を備えるとともに、延伸体が、板体が下方に移動することを牽制する下方移動牽制部３０を備えた構成とする。【選択図】図３
2018138845.tif 000002
【特許請求の範囲】
【請求項１】
コンロバーナを備え、キッチンカウンターに設けた開口部に、上方から挿入することにより設置されるガスコンロ本体と、
前記ガスコンロ本体の上面を覆うトッププレートであって、前記コンロバーナを挿通させる貫通口を有し、前記キッチンカウンター上に装着されるトッププレートを具備し、
前記トッププレートが、板体と、前記板体の周囲を囲繞する枠体とを備え、前記枠体の下面に、前記板体の周縁上面が接着剤により止着されるように構成されたビルトイン型ガスコンロであって、
前記トッププレートが前記貫通孔から前記コンロバーナを上面側に突出させた態様で前記ガスコンロ本体の上面を覆うように装着された状態であるトッププレート定常装着状態において、前記キッチンカウンターの前記開口部の周縁上面と、前記トッププレートを構成する前記板体の周縁下面との間に位置するように配設され、前記コンロ本体を前記キッチンカウンターの上面に沿って外側に延伸させる延伸体を備えるとともに、
前記延伸体は、前記板体が下方に移動することを牽制する下方移動牽制部を備えていること
を特徴とするビルトイン型ガスコンロ。
【請求項２】
前記トッププレート定常装着状態において、前記下方移動牽制部の上端部と前記板体の周縁下面との間には、１ｍｍ以下の間隙が存在していることを特徴とする請求項１記載のビルトイン型ガスコンロ。
【請求項３】
前記板体は、ガラス板または、金属板によって構成されていることを特徴とする請求項１または２記載のビルトイン型ガスコンロ。
【請求項４】
（請求項１または請求項２に従属）
前記延伸体は、前記ガスコンロ本体を前記キッチンカウンターの前記開口部に挿入した後に前記ガスコンロ本体に着脱することができるように、前記ガスコンロ本体とは別体として構成されていることを特徴とする請求項１〜３のいずれかに記載のビルトイン型ガスコンロ。
【請求項５】
前記延伸体が金属板によって構成されており、
前記延伸体を構成する金属板の所定領域を上方に隆起させた隆起部が、前記下方移動牽制部を構成していること
を特徴とする請求項１〜４のいずれかに記載のビルトイン型ガスコンロ。
【請求項６】
平面視における前記下方移動牽制部の面積が、平面視における前記延伸体の面積の５０分の１以下であることを特徴とする請求項５記載のビルトイン型ガスコンロ。
【発明の詳細な説明】
【技術分野】
【０００１】
本発明は、ガスコンロに関し、詳しくは、キッチンカウンターの開口部に上方から挿入・設置されるガスコンロ本体と、ガスコンロ本体の上面を覆うように配設されるトッププレートを備えるビルトイン型ガスコンロに関する。
【背景技術】
【０００２】
ガスコンロとして、近年、ガスコンロ本体の上面を覆うようにガラス製や金属製のトッププレートを備えたガスコンロが広く市販されるに至っている。
【０００３】
そして、このようなガスコンロとして、特許文献１には、コンロ本体の上面が、ガラス板（板体）と、ガラス板（板体）の周囲を囲繞する枠体とを備えたトッププレートにより覆われた構造を有するビルトイン型ガスコンロが開示されている。
【０００４】
また、このビルトイン型ガスコンロは燃料ガスを燃焼させるコンロバーナを備えており、コンロバーナは、トッププレートに設けられた開口を経て、炎口がトッププレートの上面側に突出するように配設されている。
【０００５】
ところで、特許文献１に開示されているようなビルトイン型ガスコンロを設置する場合、一般的に、キッチンカウンターに設けた開口部にガスコンロ本体を上から挿入して、ガスコンロ本体の周囲に備える鍔部を上記開口部の周囲に係止する形態で、コンロ本体をキッチンカウンターの開口部に配設した後、ガスコンロ本体の上面を覆うように、トッププレートを装着することにより、キッチンカウンターの所定の位置にガスコンロが配設されることになる。
【先行技術文献】
【特許文献】
【０００６】
【特許文献１】特開２０１６−１５１３８０号公報
【発明の概要】
【発明が解決しようとする課題】
【０００７】
ところで、上述の特許文献１のビルトイン型ガスコンロにおいて、トッププレート２００は、図１２に模式的に示すように、ガラス板（板体）２０１と、ガラス板（板体）２０１の周囲を囲繞し、保持する枠体２０２とを備えており、ガラス板（板体）２０１の周縁部の上面２０１ａが、シール部材を兼ねる接着剤２０３により、枠体２０２の下面２０２ａに止着された構造を有している。
【０００８】
そして、この枠体２０２の下端側当接部２０２ｂが、弾性を有する支持体２０６を介してキッチンカウンター２０５の上面２０５ａと当接することにより、トッププレート２００がキッチンカウンター２０５上の所定の位置に配設されるように構成されている。
【０００９】
上述のように、特許文献１のビルトイン型ガスコンロにおいては、図１２に模式的に示すように、枠体２０２のトッププレート２０５との下端側当接部２０２ｂの高さ位置が、ガラス板（板体）２０１の下面２０１ｂの位置より下方にあり、トッププレート２００を構成するガラス板（板体）２０１の下面２０１ｂは、キッチンカウンター２０５の上面２０５ａとは当接せず、ガラス板（板体）２０１は、キッチンカウンター２０５の上面２０５ａから浮き上がった状態にある。
【００１０】
そして、特許文献１のビルトイン型ガスコンロでは、トッププレート２００を構成するガラス板（板体）２０１の下面２０１ｂが、キッチンカウンター２０５の上面２０５ａから浮き上がった状態で保持されていることを考慮して、調理容器などがガラス板（板体）２０１上に載置された場合にも、ガラス板（板体）２０１が、接着剤２０３により接着されている枠体２０２から剥離、脱落しないように、ガラス板（板体）２０１と枠体２０２との間で、十分な接着強度が確保されるように構成されている。
【００１１】
しかしながら、例えば、ビルトイン型ガスコンロの取り付け工事の際などに、ガラス板（板体）２０１の上に作業者などが乗ったような場合、すなわち、ガラス板（板体）２０１に上方向からの過大な力が印加された場合には、ガラス板（板体）２０１が枠体２０２から剥離、脱落するおそれがある。
【００１２】
また、接着剤２０３はシール部材を兼ねるので、ガラス板（板体）２０１が枠体２０２から剥離した場合、調理容器から煮汁が溢れ出たりすると、煮汁がガスコンロ本体内に侵入することになり、ガスコンロ本体内に備える構成部品に煮汁が付着して、信頼性が低下する要因となる。
【００１３】
本発明は、上記の課題を解決するものであり、トッププレートを構成するガラス板のような板体に上方向からの過大な力が印加された場合にも、板体が枠体から剥離することを抑制することが可能で、調理容器から煮汁が溢れ出た場合にも、煮汁がガスコンロ本体内に侵入することを防止することが可能な、信頼性の高いビルトイン型ガスコンロを提供することを目的とする。
【課題を解決するための手段】
【００１４】
上記の目的を達成するために、本発明のガスコンロは、
コンロバーナを備え、キッチンカウンターに設けた開口部に、上方から挿入することにより設置されるガスコンロ本体と、
前記ガスコンロ本体の上面を覆うトッププレートであって、前記コンロバーナを挿通させる貫通口を有し、前記キッチンカウンター上に装着されるトッププレートを具備し、
前記トッププレートが、板体と、前記板体の周囲を囲繞する枠体とを備え、前記枠体の下面に、前記板体の周縁上面が接着剤により止着されるように構成されたビルトイン型ガスコンロであって、
前記トッププレートが前記貫通孔から前記コンロバーナを上面側に突出させた態様で前記ガスコンロ本体の上面を覆うように装着された状態であるトッププレート定常装着状態において、前記キッチンカウンターの前記開口部の周縁上面と、前記トッププレートを構成する前記板体の周縁下面との間に位置するように配設され、前記コンロ本体を前記キッチンカウンターの上面に沿って外側に延伸させる延伸体を備えるとともに、
前記延伸体は、前記板体が下方に移動することを牽制する下方移動牽制部を備えていること
を特徴としている。
【００１５】
本発明のビルトイン型ガスコンロにおいては、前記トッププレート定常装着状態において、前記下方移動牽制部の上端部と前記板体の周縁下面との間には、１ｍｍ以下の間隙が存在していることが好ましい。
【００１６】
また、前記板体は、ガラス板または、金属板によって構成されていることが好ましい。
【００１７】
また、前記延伸体は、前記ガスコンロ本体を前記キッチンカウンターの前記開口部に挿入した後に前記ガスコンロ本体に着脱することができるように、前記ガスコンロ本体とは別体として構成されていることが好ましい。
【００１８】
また、前記延伸体が金属板によって構成されており、
前記延伸体を構成する金属板の所定領域を上方に隆起させた隆起部が、前記下方移動牽制部を構成していること
が好ましい。
【００１９】
また、平面視における前記下方移動牽制部の面積が、平面視における前記延伸体の面積の５０分の１以下であることが好ましい。
【発明の効果】
【００２０】
本発明のガスコンロは、上述のように、トッププレートが貫通孔からコンロバーナを上面側に突出させた態様でガスコンロ本体の上面を覆うように装着された状態であるトッププレート定常装着状態において、キッチンカウンターの開口部の周縁上面と、トッププレートを構成する板体の周縁下面との間に位置するように配設され、コンロ本体をキッチンカウンターの上面に沿って外側に延伸させる延伸体を備えるとともに、延伸体は、板体が下方に移動することを牽制する下方移動牽制部を備えているので、板体に上方向からの過大な力が印加されたときにも、板体が枠体から離間することが抑制、防止され、調理容器から煮汁が溢れ出た場合にも、煮汁がガスコンロ本体内に侵入することを抑制、防止することが可能な、信頼性の高いビルトイン型のガスコンロを提供することができる。
【００２１】
また、トッププレート定常装着状態において、下方移動牽制部の上端部と板体の周縁下面との間に、１ｍｍ以下の間隙が存在するようにした場合、板体の下面に装飾のための塗装や模様付けなどが施されている場合に、板体の下面の塗装や模様が、下方移動牽制部と当接してダメージを受けることを防止することができる。
【００２２】
特に、板体が透明なガラス板であって、板体の下面に装飾のための塗装や模様付けなどが施されている場合において、美観が損なわれることを防止することができる。
【００２３】
また、下方移動牽制部の上端部と板体の周縁下面との間の間隙を、１ｍｍ以下とすることにより、例えば、板体に上方から大きな力が印加された場合に、下方移動牽制部が板体の下方への移動を十分に牽制して、板体が枠体から離間することを防止することができ、本発明の本来の作用効果が得ることができる。
【００２４】
なお、本発明のビルトイン型ガスコンロの場合、トッププレート定常装着状態において、下方移動牽制部の上端部と板体の周縁下面とが当接していている構成とすることも可能である。その場合にも、板体に上方から大きな力が印加されたときに、板体が枠体から離間することを防止するという、本発明の基本的な作用効果を得ることができる。
【００２５】
また、板体を、ガラス板または、金属板によって構成するようにした場合、従来のビルトイン型ガスコンロで用いられているガラス板または、金属板を用いて、トッププレートを好適に構成することができる。
【００２６】
また、延伸体を、ガスコンロ本体とは別体として構成するようにした場合、キッチンカウンターに設けた開口部にガスコンロ本体を上方から挿入して設置する際や、開口部からガスコンロ本体を取り外してメンテナンスを行う際に、延伸体を取り外すことが可能で、延伸体が作業の邪魔になることを回避して、施工性やメンテナンス性を向上させることが可能になる。
【００２７】
また、延伸体を金属板によって構成するとともに、延伸体を構成する金属板の所定領域を上方に隆起させた隆起部を、下方移動牽制部とするようにした場合、延伸体に下方移動牽制部を容易に形成することが可能になり、コストの増大を抑制することができる。なお、金属板の所定領域を上方に隆起させる方法としては、プレス加工などの一般的な方法を適用することが可能である。
【００２８】
また、平面視における下方移動牽制部の面積を、平面視における延伸体の面積の５０分の１以下とするようにした場合、コンロバーナの燃焼によって板体が高温になったときにも、キッチンカウンターへの伝熱を抑制することが可能になり、キッチンカウンターの温度上昇を抑制することができる。
【図面の簡単な説明】
【００２９】
【図１】本発明の一実施形態にかかるビルトイン型ガスコンロの設置状態の一例を示す側面図である。
【図２】本発明の一実施形態にかかるビルトイン型ガスコンロの要部を示す平面図である。
【図３】本発明の一実施形態にかかるビルトイン型ガスコンロの設置状態を示す要部側断面図である。
【図４】本発明の一実施形態にかかるビルトイン型ガスコンロの設置途中の状態を示す要部側断面図である。
【図５】本発明の一実施形態にかかるビルトイン型ガスコンロの設置途中の状態（右側の延伸体を取付前の状態）を示す要部側断面図である。
【図６】本発明の一実施形態にかかるビルトイン型ガスコンロの設置途中の状態を示す要部側断面図である。
【図７】本発明の一実施形態にかかるビルトイン型ガスコンロが備えるトッププレートの側断面図である。
【図８】本発明の一実施形態にかかるビルトイン型ガスコンロの設置途中の状態を示す要部平面図である。
【図９】本発明の一実施形態にかかるビルトイン型ガスコンロの設置途中の状態（右側の延伸体の取り付け前の状態）を示す要部平面図である。
【図１０】本発明の一実施形態にかかるビルトイン型ガスコンロが備えるトッププレートの平面図である。
【図１１】別実施形態にかかるビルトイン型ガスコンロが備えるトッププレートの側断面図である。
【図１２】従来のビルトイン型ガスコンロの問題点を説明するための図である。
【発明を実施するための形態】
【００３０】
以下、本発明の実施形態を示して、その特徴とするところをさらに詳しく説明する。
【００３１】
［実施形態］
以下に、本発明の一実施形態にかかるガスコンロについて説明を行うにあたり、まずガスコンロの基本構成を説明した後、特徴的構成について説明する。
【００３２】
＜ガスコンロの基本構成＞
本実施形態にかかるガスコンロＡは、ビルトイン型のガスコンロであって、図１〜図３に示すように、キッチンカウンター５０に設けた開口部５１に上方から挿入され、所定の位置に設置されるガスコンロ本体２と、ガスコンロ本体２の上面を覆うようにキッチンカウンター５０上に載置されるトッププレート１０を備えている。 
【００３３】
また、トッププレート１０は、板体１１と、この板体の周囲を囲繞する枠体１２とを備え、枠体１２の下面１２ａに、板体１１の周縁上面１１ａが接着剤１４にて止着されている（図２、図３、図６、図７、図１０参照）。
そして、トッププレート１０を構成する板体１１には、左右の２つのコンロバーナ３（３ａ，３ｂ）を挿通させる２つの貫通口１５（図１０）が形成されている。
【００３４】
なお、本実施形態にかかるガスコンロ（ビルトイン型ガスコンロ）Ａでは、板体１１としてガラス（耐熱ガラス）からなる板体（ガラス板）が用いられている。
ただし、板体１１としてはガラス板に限らず、鉄やアルミニウムなどの金属からなる板体（金属板）を用いることも可能である。
【００３５】
また、例えば、金属板として鉄板をトッププレートの板体に用いる場合、鉄板をプレス加工し、これに塗装を施したものを用いることも可能である。
また、上述の板体１１を構成する金属板としては、上述のような鉄やアルミニウムに限らず、それら以外の金属からなる板体を用いることも可能である。
【００３６】
上述のように、トッププレート１０を構成する板体１１としてガラス板または金属板を用いることで、従来のビルトイン型ガスコンロでトッププレートに用いられているガラス板や金属板を用いて、特に複雑な工程などを必要とせずに、トッププレートを構成することが可能になり、有意義である。
【００３７】
トッププレート１０の枠体１２の後辺（奥側の辺）は、平面視において、左右辺および前辺（手前側の辺）より幅広に構成されており、この後辺には、ビルトイン型ガスコンロＡが備えるグリル庫（不図示）からの調理排気を排出するグリル用排気口２５が設けられている（図２、図１０参照）。
【００３８】
また、本実施形態のビルトイン型ガスコンロＡは、ガスコンロ本体２をキッチンカウンター５０に設置した後、コンロバーナ３（３ａ，３ｂ）の周囲にバーナリング４が配設され、さらに、コンロバーナ３（３ａ，３ｂ）の近傍に調理容器１６を載置するための五徳５が配設されるように構成されている（図１、図２）。
【００３９】
また、本実施形態のビルトイン型ガスコンロＡは、コンロバーナ３の中央を上下に貫通するように設けられた挿通口（図示せず）を貫通して、上下動可能に配設された、温度センサ（鍋底センサ）１８を備えている。
【００４０】
また、ビルトイン型ガスコンロＡは、図１に示すように、換気用のレンジフード１７の下方に位置するように配設されている。
【００４１】
また、トッププレート１０の枠体１２とキッチンカウンター５０との間には、ゴム製のシール部材（図示せず）が介装されており、トッププレートとキッチンカウンターとの間は、調理中に零れた煮汁などが侵入しないようにこのシール部材によりシールされている。
【００４２】
そして、本実施形態のビルトイン型ガスコンロＡにおいては、トッププレート１０が、板体１０の貫通孔１５（図１０参照）からコンロバーナ３（３ａ，３ｂ）をトッププレート１０の上面側に突出させた態様でガスコンロ本体２の上面を覆うように装着された状態であるトッププレート定常装着状態において、キッチンカウンター５０の開口部５１の周縁上面５０ａ（図３）と、トッププレート１０を構成する板体１１の周縁下面１１ｂとの間に位置するように配設され、コンロ本体２をキッチンカウンター５０の上面に沿って外側に延伸させる２つ（左右）の延伸体２０（２０ａ，２０ｂ）（図３、図５、図６、図９など参照）を備えている。
【００４３】
因みに、本実施形態にかかるビルトイン型ガスコンロＡにおいては、ガスコンロ本体２の左右方向の寸法（横幅）が５５０ｍｍであるのに対し、トッププレート１０の左右方向の横幅が７５０ｍｍであり、ガスコンロ本体２の左右方向の寸法に対して、トッププレート１０の左右方向の寸法が大きいため、延伸体２０（２０ａ，２０ｂ）を備えることで、トッププレート１０を装着する際に延伸体２０（２０ａ，２０ｂ）がガイドとなって、トッププレート１０が装着しやすくなる。
【００４４】
また、板体１１の貫通孔１５（図１０参照）を貫通して、コンロバーナ３（３ａ，３ｂ）がトッププレート１０の上面側に突出することにより、トッププレート１０とガスコンロ本体２との平面的な位置関係が固定されることになる。
【００４５】
＜特徴的構成＞
本実施形態にかかるガスコンロ（ビルトイン型ガスコンロ）Ａにおいては、上述の「トッププレート定常装着状態」において、板体１１が下方（鉛直方向）に移動することを牽制する下方移動牽制部３０が、上述の延伸体２０（２０ａ，２０ｂ）の上面の所定の領域に設けられている（図３、図５、図６、図９参照）。
【００４６】
なお、延伸体２０（２０ａ，２０ｂ）は、金属板（例えば、アルミめっき鋼板）により構成されている。
また、下方移動牽制部３０は、延伸体２０（２０ａ，２０ｂ）を構成するアルミめっき鋼板などの金属板を下から上に隆起させた隆起部として形成されている。
本実施形態における下方移動牽制部３０としての隆起部は、例えば金型を用いたプレス加工などの方法で容易に形成することができる。
【００４７】
上述の延伸体２０（２０ａ，２０ｂ）は、平面視で、ガスコンロ本体２の左右の辺に沿って（前後方向に）に配設されており、左右の延伸体２０（２０ａ，２０ｂ）のそれぞれには、前後方向に離れた２ヶ所に平面形状が楕円形の下方移動牽制部３０を備えている。すなわち、下方移動牽制部３０は、左右の延伸体２０（２０ａ，２０ｂ）のそれぞれに２カ所、合計で４か所に配設されており、トッププレート１０を構成する板体１１が下方に移動することを、板体１１の略４隅において牽制することができるように構成されている（図９）。
【００４８】
なお、本実施形態では、「トッププレート定常装着状態」において、下方移動牽制部３０の上端部と板体１１の周縁下面との間に、１ｍｍ以下の間隙Ｇを存在させるようにしている（図３参照）。
【００４９】
このように構成した場合、例えば、ガラス板からなる板体１１の下面に装飾のための塗装や模様付けなどが施されている場合において、板体１１の下面の塗装や模様が、下方移動牽制部３０と当接してダメージを受けることを抑制して、美観が損なわれることを防止することができる。
【００５０】
また、下方移動牽制部３０の上端部と板体１１の周縁下面１１ｂとの間の間隙Ｇを、１ｍｍ以下とすることにより、例えば、板体１１に上方から大きな力が印加された場合に、下方移動牽制部３０が板体の下方への移動を十分に牽制して、板体１１が枠体１２から離間してしまうことを確実に防止することができる。その結果、調理容器１６から煮汁が溢れ出た場合にも、煮汁がガスコンロ本体２内に侵入することを抑制することができるため、信頼性の高いビルトイン型ガスコンロを実現することができる。
【００５１】
一方、間隙Ｇが１ｍｍを超えて大きくなると、板体１１の下方への移動を牽制する効果が損なわれてしまうため好ましくない。
【００５２】
なお、「トッププレート定常装着状態」において、下方移動牽制部３０の上端部と板体１１の周縁下面１１ｂとが当接している構成とすることも可能であり、その場合にも、板体１１に上方から大きな力が印加されたときに、板体１１が枠体１２から離間することを防止するという、本発明の基本的な作用効果を得ることができる。
【００５３】
また、本実施形態にかかるビルトイン型ガスコンロＡにおいては、延伸体２０（２０ａ，２０ｂ）が、ガスコンロ本体２とは別体として構成されている。そのため、ガスコンロ本体２をキッチンカウンター５０に設けた開口部５１に挿入した後の状態で、延伸体２０（２０ａ，２０ｂ）をガスコンロ本体２に取り付けたり、取り外したりすることができるように構成されている。
【００５４】
このように、本実施形態にかかるビルトイン型ガスコンロＡにおいては、ガスコンロ本体２をキッチンカウンター５０に設置した後において、延伸体２０（２０ａ，２０ｂ）をガスコンロ本体２から着脱することができるように構成されているため、キッチンカウンター５０に設けた開口部５１にガスコンロ本体２を上方から挿入して設置する際や、開口部５１からガスコンロ本体２を取り外してメンテナンスを行う際に、延伸体２０（２０ａ，２０ｂ）が邪魔になることがなく、施工性やメンテナンス性を向上させることができる。
【００５５】
また、本実施形態にかかるビルトイン型ガスコンロＡにおいては、上述のように、延伸体２０（２０ａ，２０ｂ）が、アルミめっき鋼板などの金属板により構成されているとともに、例えば、プレス加工などの方法により金属板を下から上に隆起させた隆起部を下方移動牽制部３０としているので、下方移動牽制部３０を備えた延伸体２０（２０ａ，２０ｂ）を効率よく形成することができ、コストの増大を抑制することができる。
【００５６】
また、本実施形態にかかるビルトイン型ガスコンロＡにおいては、平面視における下方移動牽制部３０の面積が、平面視における延伸体２０（２０ａ，２０ｂ）の面積の５０分の１以下となるようにしている。
【００５７】
このように構成することで、下方移動牽制部３０と、トッププレート１０を構成する板体１１との接触面積を小さく抑え、コンロバーナ３の燃焼によって板体１１が高温になった場合にも、キッチンカウンター５０への伝熱を抑制することが可能になり、キッチンカウンター５０の温度上昇を抑制することができる。
【００５８】
ここで、本実施形態にかかるビルトイン型ガスコンロＡの、キッチンカウンター５０への設置方法について説明する。
【００５９】
ビルトイン型ガスコンロＡをキッチンカウンター５０に設置するにあたっては、まず、キッチンカウンター５０に設けられた開口部５１にガスコンロ本体２を挿入し、ガスコンロ本体２の上方周縁の鍔部（フランジ部）２ａをキッチンカウンター５０に設けられた開口部５１の周縁上面５０ａに支持させる（図４、図８）。
【００６０】
次に、上方に隆起した下方移動牽制部３０が設けられた延伸体２０（２０ａ，２０ｂ）を、その下面の一部領域がガスコンロ本体２の左右の鍔部２ａ（２ａ１，２ａ２）を覆い、下面の他部領域がキッチンカウンター５０の周縁上面５０ａと接するように、上方からから取り付ける（図５、図９）。
【００６１】
これにより、延伸体２０（２０ａ，２０ｂ）は、ガスコンロ本体２の左右の側壁に設けた固定部（図示せず）に固定され、延伸体２０（２０ａ，２０ｂ）は、固定部から鍔部２ａ（２ａ１，２ａ２）の上面を経て、キッチンカウンター５０の周縁上面５０ａの外側領域を覆うように取り付けられることになる。
【００６２】
なお、図５、図９は、右側の延伸体２０（２０ａ，２０ｂ）を取り付ける前の状態を示している。
【００６３】
その後、板体１１に、コンロバーナ３（３ａ，３ｂ）を挿通させる貫通口１５が設けられ、板体１１の周縁上面１１ａが、枠体１２の下面に接着剤１４を介して接合された構造を有するトッププレート１０（図１０）を、ガスコンロ本体２の上方から装着する（図６）。このとき、板体１１の貫通孔１５を貫通して、コンロバーナ３（３ａ，３ｂ）がトッププレート１０の上面側に突出することにより、トッププレート１０とガスコンロ本体２との平面的な位置関係が定まる。
【００６４】
その後、コンロバーナ３の周囲にバーナリング４，五徳５を載置することにより、図２に示すような、ビルトイン型ガスコンロＡが、キッチンカウンター５０にセットされた状態に至る。
【００６５】
なお、本実施形態にかかるビルトイン型ガスコンロＡにおいて、トッププレート１０は、図７に示すように、板体１１と、この板体１０の周囲を囲繞する枠体１２とを備え、枠体１２の下面１２ａに板体１１の周縁上面１１ａが接着剤１４にて止着されて構成されているが、図１１に示すように板体１１の下に板体１１の下面を覆う下面側金属板２２を備えた構成とすることも可能である。
【００６６】
そして、板体１１の下面に下面側金属板２２を備えている構成の場合、下面側金属板２２を板体１１とともに、接着剤１４にて枠体１２に止着するように構成することができる（図１１）。
【００６７】
なお、本発明は、上記実施形態に限定されるものではなく、本発明の範囲内において種々の変形を加えることが可能である。
【符号の説明】
【００６８】
２        ガスコンロ本体
２ａ      ガスコンロ本体の鍔部
２ａ１    左側の鍔部
２ａ２    右側の鍔部
３        コンロバーナ
３ａ      左のコンロバーナ
３ｂ      右のコンロバーナ
４        バーナリング
５        五徳
１０      トッププレート
１１      板体
１１ａ    板体の周縁上面
１１ｂ    板体の周縁下面
１２      枠体
１２ａ    枠体の下面
１４      接着剤
１５      板体に形成された貫通口
１６      調理容器
１７      レンジフード
１８      温度センサ（鍋底センサ）
２０      延伸体
２０ａ    左側の延伸体
２０ｂ    右側の延伸体
２２      下面側金属板
２５      グリル用排気口
３０      下方移動牽制部（隆起部）
５０      キッチンカウンター
５０ａ    キッチンカウンターの開口部の周縁上面
５１      開口部
Ａ        ガスコンロ（ビルトイン型ガスコンロ）
Ｇ        下方移動牽制部の上端部と板体の周縁下面との間の間隙
【図１】
2018138845.tif 000003
【図２】
2018138845.tif 000004
【図３】
2018138845.tif 000005
【図４】
2018138845.tif 000006
【図５】
2018138845.tif 000007
【図６】
2018138845.tif 000008
【図７】
2018138845.tif 000009
【図８】
2018138845.tif 000010
【図９】
2018138845.tif 000011
【図１０】
2018138845.tif 000012
【図１１】
2018138845.tif 000013
【図１２】
2018138845.tif 000014